(57)【要約】【課題】紐状体の途中に備えられるストラップパーツであって小さな力で容易に移動することが可能なストラップパーツおよびこのストラップパーツを用いたストラップの提供。【解決手段】所定間隔で平行に形成され、それぞれ紐状体が挿通される２つの貫通孔３２ａ，３２ｂと、これらの２つの貫通孔３２ａ，３２ｂを連通する連通部３３と、連通部３３に収容され、紐状体の移動を規制する移動規制部材３１とを有するストラップパーツである。【選択図】図１
2010046280.tif 000002
【特許請求の範囲】
【請求項１】
所定間隔で平行に形成され、それぞれ紐状体が挿通される２つの貫通孔と、
これらの２つの貫通孔を連通する連通部と、
前記連通部に収容され、前記紐状体の移動を規制する移動規制部と
を有するストラップパーツ。
【請求項２】
前記紐状体が、ボールチェーンであり、
前記移動規制部が、前記２つの貫通孔に挿通されるそれぞれのボールチェーンのボール間に配置される弾性部材である
請求項１記載のストラップパーツ。
【請求項３】
前記移動規制部は、前記２つの貫通孔に挿通されるそれぞれの紐状体に対して互いに離れる方向に押圧するものである請求項１記載のストラップパーツ。
【請求項４】
前記移動規制部は、前記２つの貫通孔に挿通されるそれぞれの紐状体に対し、それぞれ球体を押圧するものである請求項３記載のストラップパーツ。
【請求項５】
所定間隔で平行に形成され、それぞれ紐状体が挿通される２つの貫通孔と、
これらの２つの貫通孔を連通する連通部と、
前記連通部に収容され、前記紐状体の移動を規制する移動規制部と
を有するストラップパーツを備えたストラップ。
【発明の詳細な説明】
【技術分野】
【０００１】
本発明は、携帯電話、携帯音楽プレイヤ、カメラ、鞄や首などからアクセサリを吊り下げるためのストラップパーツおよびストラップに関する。
【背景技術】
【０００２】
携帯電話、携帯音楽プレイヤ、カメラ、鞄や首などからアクセサリを吊り下げるためにストラップが使用される。従来のストラップとして、例えば、特許文献１〜３に記載のものが知られている。これらのストラップはループ状にしたストラップにアクセサリを吊り下げるものであり、ストラップの途中には上下に移動可能なプレートを備えている。
【０００３】
【特許文献１】特開２００７−２４４８３９号公報
【特許文献２】特開２００７−２０８２２号公報
【特許文献３】特開２００６−５５６２７号公報
【発明の開示】
【発明が解決しようとする課題】
【０００４】
上記特許文献１〜３に記載のストラップは、移動係留体を移動する際、可動体を指で押し込んだ状態を維持して移動係留体を移動させる必要がある。この可動体はロープの側面に対して常に圧縮コイルばねによって付勢状態となっている。したがって、このストラップでは、ロープの側面を面で押さえるために、圧縮コイルばねの付勢力が大きくなっている。そのため、可動体を指で押さえる際に大きな力が必要となり、移動係留体を移動させにくいものとなっている。
【０００５】
そこで、本発明においては、紐状体の途中に備えられるストラップパーツであって小さな力で容易に移動することが可能なストラップパーツおよびこのストラップパーツを用いたストラップを提供することを目的とする。
【課題を解決するための手段】
【０００６】
本発明のストラップパーツは、所定間隔で平行に形成され、それぞれ紐状体が挿通される２つの貫通孔と、これらの２つの貫通孔を連通する連通部と、連通部に収容され、紐状体の移動を規制する移動規制部とを有するものである。
【０００７】
本発明のストラップパーツによれば、所定間隔で平行に形成された２つの貫通孔に挿通された紐状体が、これらの２つの貫通孔を連通する連通部に収容された移動規制部により移動を規制されることで、紐状体に対して小さな力で容易に移動することが可能となる。なお、紐状体としては、紐、帯、ワイヤやボールチェーンなどを使用することができる。
【０００８】
ここで、紐状体が、ボールチェーンであり、移動規制部が、２つの貫通孔に挿通されるそれぞれのボールチェーンのボール間に配置される弾性部材であるであることが望ましい。これにより、このストラップパーツをボールチェーンに対して移動させる際には、ボールチェーンのボール間に配置される弾性部材が変形することによって移動可能になるとともに、移動を止めた際には、弾性部材が復元することによってボールチェーンのボール間に配置されるので、ストラップパーツはボールチェーンに固定される。
【０００９】
また、移動規制部が、２つの貫通孔に挿通されるそれぞれの紐状体に対して互いに離れる方向に押圧するものである構成とすることができる。これにより、このストラップパーツを紐状体に対して移動させる際には、紐状体に対して互いに離れる方向に押圧される移動規制部による摩擦力に逆らって移動可能であるとともに、移動を止めた際には、移動規制部の押圧力によってストラップパーツはボールチェーンに固定される。
【００１０】
ここで、移動規制部は、２つの貫通孔に挿通されるそれぞれの紐状体に対し、それぞれ球体を押圧するものであることが望ましい。これにより、移動規制部と紐状体との接触が点接触となり、このストラップパーツを紐状体に対して移動させる際には、紐状体に対して互いに離れる方向に押圧される球体が回転して容易に移動可能になるとともに、移動を止めた際には、球体の押圧力によってストラップパーツはボールチェーンに固定される。
【発明の効果】
【００１１】
（１）所定間隔で平行に形成され、それぞれ紐状体が挿通される２つの貫通孔と、これらの２つの貫通孔を連通する連通部と、連通部に収容され、紐状体の移動を規制する移動規制部とを有することにより、所定間隔で平行に形成された２つの貫通孔に挿通された紐状体が、これらの２つの貫通孔を連通する連通部に収容された移動規制部により移動を規制され、紐状体に対して小さな力で容易に移動することが可能となる。
【００１２】
（２）紐状体が、ボールチェーンであり、移動規制部が、２つの貫通孔に挿通されるそれぞれのボールチェーンのボール間に配置される弾性部材であるであることにより、このストラップパーツをボールチェーンに対して移動させる際には、ボールチェーンのボール間に配置される弾性部材が変形することによって移動可能になるとともに、移動を止めた際には、弾性部材が復元することによってボールチェーンのボール間に配置されるので、ストラップパーツはボールチェーンに固定される。
【００１３】
（３）移動規制部が、２つの貫通孔に挿通されるそれぞれの紐状体に対して互いに離れる方向に押圧するものであることにより、このストラップパーツを紐状体に対して移動させる際には、紐状体に対して互いに離れる方向に押圧される移動規制部による摩擦力に逆らって移動可能であるとともに、移動を止めた際には、移動規制部の押圧力によってストラップパーツはボールチェーンに固定される。
【００１４】
（４）移動規制部が、２つの貫通孔に挿通されるそれぞれの紐状体に対し、それぞれ球体を押圧するものであることにより、移動規制部と紐状体との接触が点接触となり、このストラップパーツを紐状体に対して移動させる際には、紐状体に対して互いに離れる方向に押圧される球体が回転して容易に移動可能になるとともに、移動を止めた際には、球体の押圧力によってストラップパーツはボールチェーンに固定される。
【発明を実施するための最良の形態】
【００１５】
図１は本発明の実施の形態におけるストラップを示す図であって、（ａ）は正面図、（ｂ）は断面図である。図１において、本発明の実施の形態におけるストラップは、それぞれストラップパーツとしてのキャップ１、保持体２、移動体３、キャップ４、紐５およびボールチェーン６により構成されている。保持体２はボールチェーン６を保持するものであり、ボールチェーン６を保持した状態でキャップ１内に収容される。
【００１６】
図２はキャップ１の詳細を示す図であって、（ａ）は平面図、（ｂ）は左側面図、（ｃ）は正面図、（ｄ）は断面図、（ｅ）は底面図である。図２に示すように、キャップ１は、直方体状の中空部１０を有し、一端面が開口されている（開口面１１）。また、この開口面１１の対面には貫通孔１２が形成されている。貫通孔１２は、紐５を通すための孔である。
【００１７】
図３は保持体２を示す図であって、（ａ）は平面図、（ｂ）は左側面図、（ｃ）は正面図、（ｄ）は底面図である。図３に示すように、保持体２は、キャップ１内に嵌合される枠部２０と、枠部２０に連設された紐状体保持部２１とから構成される。
【００１８】
枠部２０は、第１の紐状体である紐５の結び目５０（図１参照。）が収容される中空部２２と、枠部２０を貫通して紐５をキャップ１の貫通孔１２へ挿通させる貫通孔２３とを有する。紐状体保持部２１は、第２の紐状体であるボールチェーン６を保持する部分であり、キャップ１の開口面１１と平行に形成された貫通孔２４と、この貫通孔２４の両端部の開口面１１側に形成された切欠部２５とを有する。ボールチェーン６は貫通孔２４内に挿通され、図１に示すように逆Ｕ字状に下方へ垂らされる。
【００１９】
図４は移動体３を構成する本体を示す図であって、（ａ）は平面図、（ｂ）は左側面図、（ｃ）は正面図、（ｄ）は断面図、（ｅ）は底面図、図５は図４の本体に内蔵される移動規制部材の正面図である。移動体３は、図４に示す本体３０と、本体３０内に設けられる図５に示す移動規制部材３１とから構成される。
【００２０】
本体３０は、所定間隔で平行に形成された２つの貫通孔３２ａ，３２ｂと、これらの２つの貫通孔３２ａ，３２ｂを連通する連通部３３とを有する。２つの貫通孔３２ａ，３２ｂには、前述のように保持体２の貫通孔２４内に挿通され、逆Ｕ字状に下方へ垂らされたボールチェーン６がそれぞれ挿通される（図１参照。）。
【００２１】
なお、連通部３３は本体３０の正面または背面の少なくとも一方の面まで貫通させて形成されており、ボールチェーン６を貫通孔３２ａ，３２ｂ内に挿通した後、本体３０の正面または背面から連通部３３内に移動規制部材３１を装着することができるようになっている。また、連通部３３の中央には、移動規制部材３１の移動を規制するための突起３４が設けられている。
【００２２】
移動規制部材３１は、薄板ばね材料を図５に示す形状に曲折させて形成した弾性部材であり、本体３０の連通部３３に装着された際、連通部３３の内壁面および突起３４によって規制される規制部３１ａと、本体３０の貫通孔３２ａ，３２ｂ内へ突出して、図１に示すように貫通孔３２ａ，３２ｂに挿通されるそれぞれのボールチェーン６のボール６０間に配置される係合部３１ｂとを有する。
【００２３】
キャップ４は、前述のように保持体２の貫通孔２４内に挿通され、逆Ｕ字状に下方へ垂らされたボールチェーン６の下端部分に被せるものである。キャップ４は、キャップ１と同様、直方体状の中空部４０を有し、一端面が開口されている（開口面４１）。また、この開口面４１の対面には移動体３に形成された２つの貫通孔３２ａ，３２ｂと等間隔に２つの貫通孔４２ａ，４２ｂが形成されている。ボールチェーン６は、このキャップ４の２つの貫通孔３２ａ，３２ｂに挿通され、中空部４０内でコネクタ７によりその両端が連結されている。
【００２４】
上記構成のストラップは、まず、保持体２の貫通孔２４内にボールチェーン６を挿通し、逆Ｕ字状に下方へ垂らす。また、紐５の結び目５０を形成し、保持体２の中空部２２から貫通孔２３に挿通する。その後、紐５をキャップ１の開口面１１から中空部１０を通して貫通孔１２に挿通し、引っ張ると、保持体２がキャップ１の中空部１０に引き込まれ、図１（ｂ）に示すように保持体２がキャップ１内に嵌合される。
【００２５】
一方、ボールチェーン６は、移動体３の貫通孔３２ａ，３２ｂ内に挿通した後、キャップ４の貫通孔４２ａ，４２ｂに挿通する。そして、このボールチェーン６の両端をコネクタ７により連結し、キャップ４を下げてコネクタ７を中空部４０内に配置する。また、移動規制部材３１を本体３０の正面または背面から連通部３３内に装着し、この装着後、本体３０の正面または背面に化粧パネルを接着して、移動規制部材３１の脱落を防止する。
【００２６】
こうして完成したストラップでは、紐状体保持部２１のボールチェーン６は、貫通孔２４の両端部の開口面１１側に形成された切欠部２５から所定間隔で平行に垂れ下がる（図１参照。）。このストラップでは、ループ状とした紐５により携帯電話、携帯音楽プレイヤ、カメラ、鞄や首などへと取り付け、キャップ１内から所定間隔で平行に垂れ下がるボールチェーン６により見栄え良くアクセサリを吊り下げることができる。
【００２７】
また、このストラップの移動体３では、所定間隔で平行に形成された２つの貫通孔３２ａ，３２ｂに挿通されたボールチェーン６は、これらの２つの貫通孔３２ａ，３２ｂを連通する連通部３３に収容された移動規制部材３１により移動を規制されるが、この移動規制部材３１は弾性部材であるため、移動体３を貫通孔３２ａ，３２ｂの延伸方向に移動させると移動規制部材３１が弾性変形し、ボールチェーン６の表面に沿ってボール６０とボール６０との間を移動する。これにより、この移動体３は、小さな力で容易に移動することができる。
【００２８】
そして、移動体３の移動を止めた場合には、移動規制部材３１は元の状態へと復元して、図１（ｂ）に示すようにボールチェーン６のボール６０とボール６０との間に配置され、移動体３の移動を規制するので、移動体３はボールチェーン６に固定される。なお、移動規制部材３１は、別の形状とすることも可能であり、要するに、ボールチェーン９の移動を規制するものであれば良い。また、突起３４は省略することも可能であるし、突起３４に代えて移動規制部材３１側に移動を規制するための部材を設けることも可能である。
【００２９】
なお、本実施形態における移動体３は、図６に示すように別用途にも利用することが可能である。図６に示す例では、移動体３を、ネームプレート８を吊り下げるボールチェーン９に取り付けている。この場合、移動体３を上に移動させることで、この移動体３よりも上の部分のボールチェーン９の開きを抑えることが可能となる。
【００３０】
次に、移動体３の別の例ついて説明する。図７は移動体の別の例を示す断面図、図８は図７の移動体に内蔵される移動規制部の正面図である。
【００３１】
図７に示す移動体８０は、本体８１と、本体８１内に設けられる図８に示す移動規制部８２とから構成される。本体８１は、移動体３の本体３０と同様に、所定間隔で平行に形成された２つの貫通孔８３ａ，８３ｂと、これらの２つの貫通孔８３ａ，８３ｂを連通する連通部８４とを有する。２つの貫通孔８３ａ，８３ｂには、紐９０が挿通される。
【００３２】
移動規制部８２は、弾性部材としてのばね８２ａと、ばね８２ａの両端に被せられる２つのキャップ８２ｂと、ばね８２ａの弾性力によって互いに離れる方向に押圧される２つの球体８２ｃとから構成される。この移動規制部８２は、移動規制部材３１と同様に本体８１の連通部８４内に装着される。
【００３３】
これにより、移動体８０の２つの貫通孔８３ａ，８３ｂに挿通された紐９０は、通常、これらの２つの貫通孔８３ａ，８３ｂを連通する連通部８４に収容された移動規制部８２により移動を規制されるが、この移動規制部８２は紐９０に対して互いに離れる方向に押圧されているだけであるため、移動体８０を貫通孔８３ａ，８３ｂの延伸方向に移動させようとする場合には球体８２ｃが回転することにより移動可能となる。
【００３４】
なお、紐９０に代えて、帯やワイヤなどの紐状体を使用することも可能である。この場合も同様に、帯やワイヤなどの紐状体に対して互いに離れる方向に押圧する移動規制部を備えることで、上記と同様に、移動体８０を紐状体に対して移動させる際には、紐状体に対して互いに離れる方向に押圧される移動規制部８２による摩擦力に逆らって移動可能であるとともに、移動を止めた際には、移動規制部８２の押圧力によってストラップパーツはボールチェーンに固定される。
【産業上の利用可能性】
【００３５】
本発明は、携帯電話、携帯音楽プレイヤ、カメラ、鞄や首などからアクセサリを吊り下げるためのストラップパーツおよびストラップとして有用である。特に、本発明は、紐状体の途中に備えられるストラップパーツであって小さな力で容易に移動することが可能なストラップパーツおよびストラップとして好適である。
【図面の簡単な説明】
【００３６】
【図１】本発明の実施の形態におけるストラップを示す図であって、（ａ）は正面図、（ｂ）は断面図である。
【図２】キャップの詳細を示す図であって、（ａ）は平面図、（ｂ）は左側面図、（ｃ）は正面図、（ｄ）は断面図、（ｅ）は底面図である。
【図３】保持体を示す図であって、（ａ）は平面図、（ｂ）は左側面図、（ｃ）は正面図、（ｄ）は底面図である。
【図４】移動体を構成する本体を示す図であって、（ａ）は平面図、（ｂ）は左側面図、（ｃ）は正面図、（ｄ）は断面図、（ｅ）は底面図である。
【図５】図４の本体に内蔵される移動規制部材の正面図である。
【図６】本実施形態における移動体の別用途を示す図である。
【図７】移動体の別の例を示す断面図である。
【図８】図７の移動体に内蔵される移動規制部の正面図である。
【符号の説明】
【００３７】
１  キャップ
１０  中空部
１１  開口面
１２  貫通孔
２  保持体
２０  枠部
２１  紐状体保持部
２２  中空部
２３，２４  貫通孔
２５  切欠部
３  移動体
３０  本体
３１  移動規制部材
３１ａ  規制部
３１ｂ  係合部
３２ａ，３２ｂ  貫通孔
３３  連通部
３４  突起
４  キャップ
４０  中空部
４１  開口面
４２ａ，４２ｂ  貫通孔
５  紐
６，９  ボールチェーン
６０  ボール
７  コネクタ
８  ネームプレート
８０  移動体
８１  本体
８２  移動規制部
８２ａ  ばね
８２ｂ  キャップ
８２ｃ  球体
８３ａ，８３ｂ  貫通孔
８４  連通部
９０  紐
【図１】
2010046280.tif 000003
【図２】
2010046280.tif 000004
【図３】
2010046280.tif 000005
【図４】
2010046280.tif 000006
【図５】
2010046280.tif 000007
【図６】
2010046280.tif 000008
【図７】
2010046280.tif 000009
【図８】
2010046280.tif 000010
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
所定間隔で平行に形成され、それぞれボールチェーンが挿通される２つの貫通孔と、
これらの２つの貫通孔を連通する連通部と、
前記連通部に収容され、前記２つの貫通孔に挿通されるそれぞれのボールチェーンに対し、互いに離れる方向にそれぞれ球体を押圧して前記ボールチェーンの移動を規制するばねと
を有するストラップパーツ。
【請求項２】
所定間隔で平行に形成され、それぞれボールチェーンが挿通される２つの貫通孔と、
これらの２つの貫通孔を連通する連通部と、
前記連通部に収容され、前記２つの貫通孔に挿通されるそれぞれのボールチェーンに対し、互いに離れる方向にそれぞれ球体を押圧して前記ボールチェーンの移動を規制するばねと
を有するストラップパーツを備えたストラップ。